(57)【要約】      （修正有）【課題】強度があり、かつ木材に比べて軽量にでき、また、曲線などの形状に自由に加工することが比較的簡単にでき、更に、印刷による装飾なども簡単にできる棺桶を提供する。【解決手段】上部が開放された矩形状の箱体２と、当該箱体２上に載置される蓋体３とからなる棺桶であって、箱体２及び蓋体３を紙素材でできたボード資材で形成した。蓋体３は、曲線形状を含む外形輪郭を有する意匠装飾の造作物を取り付けた。【選択図】図１
0003178946.tif 000002
【実用新案登録請求の範囲】
【請求項１】
上部が開放された矩形状の箱体と、当該箱体上に載置される蓋体とからなる棺桶であって、
前記箱体及び前記蓋体を紙素材でできたボード資材で形成したことを特徴とする棺桶。
【請求項２】
前記蓋体は、曲線形状を含む外形輪郭を有する意匠装飾の造作物を取り付けたことを特徴とする請求項１に記載の棺桶。
【請求項３】
前記箱体は、曲線形状を含む外形輪郭を有し、前記蓋体は、前記箱体の外形輪郭に合わせた外形輪郭を有し、上面に意匠装飾を施したことを特徴とする請求項１に記載の棺桶。
【請求項４】
前記箱体が収まる空間を有する形状で、かつ、前記箱体の周囲に意匠装飾を施す周囲造作物を更に備え、
前記周囲造作物を紙素材でできたボード資材で形成したことを特徴とする請求項１に記載の棺桶。
【請求項５】
前記箱体は、外面に画像を印刷し、前記蓋体は、上面に装飾物を取り付けたことを特徴とする請求項１に記載の棺桶。
【請求項６】
前記ボード資材は、リボード（ＲＥ―ＢＯＡＲＤ）（登録商標）であることを特徴とする請求項１乃至５のいずれか１項に記載の棺桶。
【考案の詳細な説明】
【技術分野】
【０００１】
本考案は、棺桶に関し、特に、木材を使用せず、環境負荷を少なくでき、また、形状を自由に形成して、商品性豊かなものにできる棺桶に関する。
【背景技術】
【０００２】
従来から、遺体を収容する棺桶は、檜、杉などの木材からなる部材で組み立て形成された木製の棺桶が広く使用されてきた。
しかしながら、近年になって、地球資源の保護の観点から、昨今まで木材で作られていたものがプラスチックなどに代替されたり、あるいはリサイクルとして集められた紙製品が段ボール等として再使用されたりしている。そのため、棺桶に関しても、木材を使用しないで、代わりに段ボールなどの紙を使用した棺桶が提案されている（例えば、特許文献１参照）。このような段ボール棺は、木製の棺桶に比べて軽量で燃焼性および加工性に優れるため、環境に優しい埋送品として注目されている。
【０００３】
また、段ボール製の棺桶の強度を高めるために、強化構造にした段ボール棺も提案されている（例えば、特許文献２参照）。更に、近年の段ボール製造技術の進歩により、木材よりも軽く低コストであり、しかも強度も充分な強化段ボール製の棺桶も使用されるようになった。
一方、最近においては、葬儀に荘厳で華やかな雰囲気を演出することを目的に棺桶にも装飾を施すことを要望する依頼者が増えてきた。また、依頼者の嗜好はさらに個性化・多様化が顕著となってきており、そのような要望に対応できるような棺桶も提案されている（例えば、特許文献３参照）。
【先行技術文献】
【特許文献】
【０００４】
【特許文献１】特開２００７−０６１４８６号公報
【特許文献２】特開２００９−１１９０３７号公報
【特許文献３】特開２００５−１０２８００号公報
【考案の概要】
【考案が解決しようとする課題】
【０００５】
しかしながら、上記したような特許文献１及び２の段ボール製の棺桶は、板状の段ボールを折り畳んだり、段ボールの部材を組み立てたりして、箱型（本体や蓋）を形成して棺桶を作っているため、棺桶の形状は、直方体形状またはそれに類似する形状のものに限られ、それ以外の形状に自由に変えることは難しかった。更に、曲線などの形状にすることも難しかった。
また、上記した特許文献３の棺桶は、装飾模様などが印刷されたシートを、木製の棺桶の本体や蓋に貼着しており、木製や紙製の棺桶の本体や蓋の表面に、例えばプリント印刷することはできなかった。また、木製や紙製の棺桶の本体や蓋に、直接、プリント印刷する場合には、表面加工が必要であった。
【０００６】
本考案は、上述した課題を解決するものであり、その目的は、強度があり、かつ木材に比べて軽量にでき、また、曲線などの形状に自由に加工することが比較的簡単にでき、更に、印刷による装飾なども簡単にできる棺桶を提供する。
【課題を解決するための手段】
【０００７】
上記目的を達成するため、第１の観点では、本考案は、上部が開放された矩形状の箱体（２）と、当該箱体（２）上に載置される蓋体（３）とからなる棺桶であって、前記箱体（２）及び前記蓋体（３）を紙素材でできたボード資材で形成したことを特徴とする棺桶を提供する。
【０００８】
上記第１の観点による棺桶では、強度があり、かつ木材に比べて軽量にできる。
【０００９】
第２の観点では、本考案は、前記第１の観点による棺桶において、前記蓋体は、曲線形状を含む外形輪郭を有する意匠装飾の造作物を取り付けたことを特徴とする。これにより、曲線形状を有する意匠形状に自由に加工することができ、また、葬儀に華やかな雰囲気を演出することができる。
【００１０】
第３の観点では、本考案は、前記第１の観点による棺桶において、前記箱体は、曲線形状を含む外形輪郭を有し、前記蓋体は、前記箱体の外形輪郭に合わせた外形輪郭を有し、上面に意匠装飾を施したことを特徴とする。これにより、曲線形状を有する意匠形状に自由に加工することができ、また、葬儀に華やかな雰囲気を演出することができる。
【００１１】
第４の観点では、本考案は、前記第１の観点による棺桶において、前記箱体が収まる空間を有する形状で、かつ、前記箱体の周囲に意匠装飾を施す周囲造作物を更に備え、前記周囲造作物を紙素材でできたボード資材で形成したことを特徴とする。これにより、曲線形状を有する意匠形状に自由に加工することができ、また、葬儀に華やかな雰囲気を演出することができる。
【００１２】
第５の観点では、本考案は、前記第１の観点による棺桶において、前記箱体は、外面に画像を印刷し、前記蓋体は、上面に装飾物を取り付けたことを特徴とする。これにより、簡単に画像などを印刷でき、また、葬儀に華やかな雰囲気を演出することができる。
【００１３】
第６の観点では、本考案は、前記第１ないし前記第５のいずれかの観点による棺桶において、前記ボード資材は、リボード（ＲＥ―ＢＯＡＲＤ）（登録商標）であることを特徴とする。これにより、強度があり、かつ木材に比べて軽量で、かつ立体的な曲線を有する意匠形状に自由に加工にすることができ、また、特別な表面加工を施すことなく簡単に画像などを印刷できる。
【考案の効果】
【００１４】
本考案によれば、強度があり、かつ木材に比べて軽量にでき、また、曲線などの形状に自由に加工することが比較的簡単にでき、更に、印刷による装飾なども簡単にできる。
【図面の簡単な説明】
【００１５】
【図１】本考案の第１実施形態に係る棺桶を示す外観斜視図である。
【図２】本考案の第２実施形態に係る棺桶を示す外観斜視図である。
【図３】本考案の第３実施形態に係る棺桶を示す外観斜視図である。
【図４】本考案の第４実施形態に係る棺桶を示す外観斜視図である。
【図５】本考案の第５実施形態に係る棺桶を示す外観斜視図である。
【図６】本考案の第６実施形態に係る棺桶を示す外観斜視図である。
【図７】本考案の第７実施形態に係る棺桶を示す外観斜視図である。
【図８】本考案の第８実施形態に係る棺桶を示す外観斜視図である。
【考案を実施するための形態】
【００１６】
以下、添付図面を参照しながら本考案の実施形態について詳細に説明する。なお、本考案の実施形態における構成要素は適宜、既存の構成要素等との置き換えが可能であり、また、他の既存の構成要素との組合せを含む様々なバリエーションが可能である。したがって、本考案の実施形態の記載をもって、実用新案登録請求の範囲に記載された考案の内容を限定するものではない。
【００１７】
［第１実施形態］
図１は本考案の第１実施形態に係る棺桶を示す外観斜視図である。
図１に示すように、本実施形態に係る棺桶１は、上部が開放された矩形状の箱体２と、箱体２上に載置される蓋体３とからなる。蓋体３の前側上部には小窓４が設けられる。この小窓４には観音扉が取り付けられ、これらの扉を開くことで棺桶の内部が覗けるようになっている。
棺桶１の寸法は、例えば、長さが２０５ｃｍ、幅が６３ｃｍ、箱体２と蓋体３を含めた高さが６０ｃｍである。
【００１８】
箱体２及び蓋体３は、紙素材でできたボード資材により形成される。ボード資材としては、例えば、板厚１０〜２０ｍｍ程度のＲＥ―ＢＯＡＲＤ（リボード）（登録商標）と呼ばれる１００％紙資材ができたリサイクル資材（例えば、Ｓｔｏｒａ  Ｅｎｓｏ社製）が採用される。
【００１９】
このリボード（登録商標）資材は、１００％紙素材でできたボード素材であり、以下の特性を有する。
（１）丈夫な素材：
段ボールに比べ、人が乗ってもつぶれないほどの強度があり、耐水性や耐熱性に優れている。
（２）軽量な素材：
木材に比べて軽量であり、搬送も楽で、搬送コストの削減にもつながる。また、この素材を使った箱などの組み立てが楽にできる。
【００２０】
（３）デザイン・形状が自由自在：
紫外線（ＵＶ）硬化インクを使用したインクジェット・プリンタを使って素材に任意のデザイン型を印刷し、それをカッティングマシンを使って印刷した型の形状に自由に加工することができる。
（４）耐湿・耐久性・印刷適性：
耐湿・耐久性が高く、反りもほとんど発生しなく、環境変化の激しい場所に長期間保管しても、高い安定性がある。また、両面が平らであり、白い平面部分（ライナー）を有しているので、各種の溶剤系やＵＶ系インクを使用したインクジェット・プリンタに対して高い印刷適性がある。
【００２１】
（５）環境に優しい：
紙や段ボールと同様に、１００％紙素材から作られたリサイクル資材である。また、環境に害を及ぼす加工物を材料、及び製造工程において一切使用していないので、燃焼しても有毒物質が発生しない。また、人体に害がある化学物質も含まれていないので、人にも環境にも優しい。
【００２２】
棺桶１の表面には、必要に応じて、布やフィルムなどの化粧シートが貼り付けられる。このような化粧仕上げを施すことで、ボード素材そのままの表面の色や断面が隠れて棺桶の外観が高級感のあるものに仕上がる。
上記のように、第１実施形態に係る棺桶１は、リボード（登録商標）資材のような紙素材でできたボード資材により形成することにより、強度があり、かつ木材に比べて軽量にできる。
【００２３】
［第２実施形態］
次に、添付図面を参照して本考案に係る棺桶の第２実施形態を説明する。なお、図面の説明において第１実施形態と同一の要素には同一符号を付し、その重複した説明は省略する。
【００２４】
図２は、第２実施形態に係る棺桶１Ａを示す外観斜視図である。
図２に示すように、本実施形態に係る棺桶１Ａは、第１実施形態と同様の箱体２と、上面に任意の意匠装飾を施した蓋体３Ａとからなる。蓋体３Ａは、第１実施形態の蓋体３と同様に、紙素材でできたボード資材により形成される。
【００２５】
蓋体３Ａに施す装飾意匠は、例えば、紫陽花や葉などの曲線形状を含む外形輪郭を有し、紫陽花や葉などの表面形状を造作した意匠装飾の造作物５からなり、この造作物５が蓋体３Ａの上面に貼り付けられる。
造作物５は、リボード（登録商標）などのボード資材を用いて造作し、小窓４の部分を塞がないように、小窓４の部分に開口が開けられている。更に、造作物５の表面には、紫陽花や葉などのカラー画像をインクジェット・プリンタを使って印刷したり、あるいは、紫陽花や葉などの絵を手書きで着色描画してもよい。
【００２６】
また、造作物５は、矩形状の箱体２の外周側面よりも外側にはみ出た部分が取り外せるようにする。このように取り外せるようにすることで、葬儀において、納棺から火葬の時に、はみ出た造作物５が邪魔にならないようにする。
【００２７】
上記したように、第２実施形態に係る棺桶１Ａは、リボード（登録商標）資材のような紙素材でできたボード資材により形成することにより、強度があり、かつ木材に比べて軽量で、かつ曲線形状を有する意匠形状に自由に加工することができ、また、特別な表面加工を施すことなく簡単にカラー画像などを印刷でき、更に、蓋体３Ａの上面に造作物５を貼り付けて装飾することにより、葬儀に華やかな雰囲気を演出することができる。
【００２８】
［第３実施形態］
次に、添付図面を参照して本考案に係る棺桶の第３実施形態を説明する。
【００２９】
図３は、第３実施形態に係る棺桶１Ｂを示す外観斜視図である。
図３に示すように、本実施形態に係る棺桶１Ｂは、上部が開放され、曲線形状を含む外形輪郭を有する箱体２Ｂと、この箱体２Ｂの外形輪郭に合わせた外形輪郭を有する意匠装飾を施した蓋体３Ｂとからなる。蓋体３Ｂの前側上部には丸形小窓７が設けられる。箱体２Ｂ及び蓋体３Ｂは、第１実施形態の箱体２及び蓋体３と同様に、紙素材でできたボード資材により形成される。
【００３０】
箱体２Ｂは、遺体（人）を収容できる大きさ（例えば、長さ１７０〜２００ｃｍ程度、幅５０〜７０ｃｍ程度、高さ４０〜６０ｃｍ程度）の内部容量（矩形状空間）を確保した範囲で、その周囲部分の外形輪郭が立体的な曲線を有する意匠形状に加工されて形成された箱である。具体的には、矩形状の箱体の外周側面に、立体的な曲線を有する意匠形状の部材を取り付けている。
蓋体３Ｂは、この箱体２Ｂの立体的な曲線に合わせた外形輪郭を有する。蓋体３Ａに施す装飾意匠は、例えば、紫陽花や葉などの曲線形状を含む輪郭形状を有し、紫陽花や葉などの表面形状を造作した意匠装飾の造作物６からなり、この造作物６が蓋体３Ｂの上面に貼り付けられる。
【００３１】
造作物６は、リボード（登録商標）などのボード資材を用いて造作し、丸形小窓７の部分を塞ないように、丸形小窓７の部分に丸形の開口が開けられている。更に、造形物６の表面には、紫陽花や葉などのカラー画像をインクジェット・プリンタを使って印刷したり、あるいは、紫陽花や葉などの絵を手書きで着色描画してもよい。
また、丸形小窓４Ａの上面には、丸形小窓７の観音扉の開閉の邪魔にならないようにして、造作物６と同種の造作、例えば、紫陽花の造花を貼り付けたり、あるいは、紫陽花のカラー画像の印刷または紫陽花の絵の手書き着色描画を施したりして、丸形小窓７の部分が、その周りの造作物６と外観的（意匠的）に同化するようにして、丸形小窓７がその周りと同じようにする。
【００３２】
また、箱体２Ｂのうち、矩形状の箱体の外周側面に取り付けた立体的な曲線を有する意匠形状の部材と、蓋体３Ｂのうち、矩形状の箱体の外周側面よりも外側にはみ出た部分が取り外せるようにする。このように取り外せるようにすることで、葬儀において、納棺から火葬の時、はみ出た部分が邪魔にならないようにする。
【００３３】
上記したように、第３実施形態に係る棺桶１Ｂは、リボード（登録商標）資材のような紙素材でできたボード資材により形成することにより、強度があり、かつ木材に比べて軽量で、かつ立体的な曲線を有する意匠形状に自由に加工することができ、また、特別な表面加工を施すことなく簡単にカラー画像を印刷でき、更に、箱体２Ｂを立体的な曲線を有する意匠形状にし、蓋体３Ｂの上面に造作物６を貼り付けて装飾することにより、葬儀に華やかな雰囲気を演出するようにいる。
【００３４】
［第４実施形態］
次に、添付図面を参照して本考案に係る棺桶の第４実施形態を説明する。なお、図面の説明において第１実施形態と同一の要素には同一符号を付し、その重複した説明は省略する。
【００３５】
図４は、第４実施形態に係る棺桶１Ｃを示す外観斜視図である。
図４に示すように、本実施形態に係る棺桶１Ｃは、第１実施形態と同様の箱体２及び蓋体３と、箱体２がすっぽり収まる空間を有する形状で、かつ、箱体２の周囲に意匠装飾を施す周囲造作物８とからなる。周囲造作物８は、リボード（登録商標）などのボード資材を用いて造作したもので形成される。
【００３６】
周囲造作物８は、周囲部分の輪郭形状が立体的な曲線を有する意匠形状に自由に加工されて形成され、上面に装飾物を造作したもので、例えば、紫陽花や葉などの輪郭形状に加工され、紫陽花や葉などの表面形状を造作している。
周囲造作物８は、リボード（登録商標）などのボード資材を用いて造作し、その表面には、紫陽花や葉などのカラー画像をインクジェット・プリンタを使って印刷したり、あるいは、紫陽花や葉などの絵を手書きで着色描画してもよい。
【００３７】
また、蓋体３の上面には、周囲造作物８の装飾物（例えば、紫陽花や葉などの造作）と一体の装飾（絵柄）になるようなカラー画像９を、インクジェット・プリンタを使って印刷したり、あるいは、絵を手書きなどで着色描画してもよい。
また、周囲造作物８は、適宜、箱体２及び蓋体３の部分（本来の棺桶部分）から取り外せるようにする。このように取り外せるようにすることにより、葬儀において、納棺から火葬の時、周囲造作物８が邪魔にならないようにする。
【００３８】
上記したように、第４実施形態に係る棺桶１Ｃは、リボード（登録商標）資材のような紙素材でできたボード資材により形成することにより、強度があり、かつ木材に比べて軽量で、かつ立体的な曲線を有する意匠形状に自由に加工することができ、また、特別な表面加工を施すことなく簡単にカラー画像などを印刷でき、更に、箱体２を周囲造作物８に収めて、箱体２の周囲を周囲造作物８が囲むようにして装飾することにより、葬儀に華やかな雰囲気を演出することができる。
【００３９】
［第５実施形態］
次に、添付図面を参照して本考案に係る棺桶の第５実施形態を説明する。なお、図面の説明において第１実施形態と同一の要素には同一符号を付し、その重複した説明は省略する。
【００４０】
図５は、第５実施形態に係る棺桶１Ｄを示す外観斜視図である。
図５に示すように、本実施形態に係る棺桶１Ｄは、周辺側面にカラー画像１０の印刷を施した矩形状の箱体２Ｄと、この箱体２Ｄ上に載置され、花などの立体的な装飾物を取り付けた蓋体３Ｄとからなる。箱体２Ｄ及び蓋体３Ｄは、第１実施形態の箱体２及び蓋体３と同様に、紙素材でできたボード資材により形成される。
【００４１】
蓋体３Ｄは、図６示すように、上面に多数の穴１１を設けており、その穴１１に故人が好きだった花（生花あるいは造花）などの装飾物１２が差し込めるようになっている。
箱体２Ｄに周辺側面に印刷するカラー画像１０は、蓋体３Ｄの上面の装飾（例えば、薔薇の造花）に合った絵柄画像（例えば、薔薇の画像）や写真画像として、全体的に一体となった内容の装飾とするとよい。
【００４２】
上記したように、第５実施形態に係る棺桶１Ｄは、リボード（登録商標）資材のような紙素材でできたボード資材により形成することにより、強度があり、かつ木材に比べて軽量にでき、また、特別な表面加工を施すことなく簡単にカラー画像などを印刷でき、更に、蓋体３Ａの上面に造作物５を貼り付け、箱体２Ｄに周辺側面に造作物５と一体となった内容のカラー画像１０を印刷して装飾することにより、葬儀に華やかな雰囲気を演出することができる。
【００４３】
［第６実施形態］
次に、添付図面を参照して本考案に係る棺桶の第６実施形態を説明する。なお、図面の説明において第１実施形態と同一の要素には同一符号を付し、その重複した説明は省略する。
【００４４】
図７は、第６実施形態に係る棺桶１Ｅを示す外観斜視図である。
図７に示すように、本実施形態に係る棺桶１Ｅは、缶ビールのような略円柱形の外形状に加工されて形成されており、円柱の両側の円部分を略半分に分割した一方の半円柱部分で構成した箱体２Ｅと、他方の半円柱部分で構成した蓋体３Ｅとからなる。箱体２Ｅ及び蓋体３Ｅは、第１実施形態の箱体２及び蓋体３と同様に、紙素材でできたボード資材により形成される。
【００４５】
箱体２Ｅは、上部が開放され、図１に示す第１実施形態の棺桶１を収納できる空間を有する箱になっていて、その底面は、箱体２Ｅを安定して載置できるように、脚部材を取り付けたり、あるいは、円柱の一部を切り欠いた平面部分を設けたりしている。蓋体３Ｅは、箱体２Ｅの側端部に、蝶番(ヒンジ)により開閉自在に取り付けられている。
箱体２Ｅ及び蓋体３Ｅの外表面には、例えば、缶ビールの外周側面に施されるようなカラー画像（絵柄）や、缶ビールの開け口（プルトップ）の写真画像１３などを印刷してもよい。
【００４６】
なお、棺桶１Ｅの外形状は、缶ビールのような略円柱形に限らず、例えば、サメのような魚形の外形状や、キャラクター人形のような人型の外形状でも、故人が生前に好んだ形態のものにしてもよい。
【００４７】
上記したように、第６実施形態に係る棺桶１Ｅは、リボード（登録商標）資材のような紙素材でできたボード資材により形成することにより、強度があり、かつ木材に比べて軽量で、かつ略円柱形などの立体的な曲線を有する意匠形状に自由に加工することができ、また、特別な表面加工を施すことなく簡単にカラー画像などを印刷でき、更に、缶ビール・魚形・人型のような各種の外形状にすることにより、依頼者の要望や故人の好みに合わせた形状にすることができる。
【００４８】
［第７実施形態］
次に、添付図面を参照して本考案に係る棺桶の第７実施形態を説明する。なお、図面の説明において第１実施形態と同一の要素には同一符号を付し、その重複した説明は省略する。
【００４９】
図８は、第７実施形態に係る棺桶１Ｆを示す外観斜視図である。
図８に示すように、本実施形態に係る棺桶１Ｆは、矩形状の箱体２Ｆと、箱体２Ｆ上に載置される蓋体３Ｆとからなる。箱体２Ｆ及び蓋体３Ｆは、第１実施形態の箱体２及び蓋体３と同様に、紙素材でできたボード資材により形成される。
箱体２Ｆの側面や蓋体３Ｆの上面には、立方体（キューブ）状の装飾物１４を貼り付けて、モザイクアートのような立体的形状の装飾を施す。この装飾物１４は、リボード（登録商標）などのボード資材を用いて造作する。
なお、装飾物１４を貼り付ける箱体２Ｆや蓋体３Ｆは、矩形状に限らず、魚形や人型のような各種の外形状にしてもよい。
【００５０】
上記したように、第７実施形態に係る棺桶１Ｆは、リボード（登録商標）資材のような紙素材でできたボード資材により形成することにより、強度があり、かつ木材に比べて軽量にでき、また、立体的形状の装飾を施すことにより、葬儀に華やかな雰囲気を演出することができる。
【００５１】
＜変形例＞
なお、棺桶の形状は、上記した第１ないし第７実施形態に限らず、その他の様々な形態とすることができる。
例えば、犬、猫、モルモット、フェレット、鳥などの小動物（ペット）の遺体用に、棺桶のサイズを小さくしたりして、また、各小動物（ペット）用にデザインされた形状（例えば、各小動物の形など）や装飾（例えば、各小動物の写真画像を印刷するなど）を施すようにしてもよい。
また、紙素材でできたボード資材は、リボード（登録商標）資材に限らず、強度があり、かつ軽量で、自由な加工ができ、高い印刷適性があるといった特性と同様の特性を有する資材であればよい。
【００５２】
以上のように、本考案の棺桶によれば、強度があり、かつ木材に比べて軽量で、かつ曲線形状を有する意匠形状に自由に加工することができ、また、簡単に画像などを印刷でき、更に、葬儀に華やかな雰囲気を演出することができる。
【産業上の利用可能性】
【００５３】
本考案に係る棺桶は、遺体を収容する棺としてとして有用である。
【符号の説明】
【００５４】
１，１Ａ，１Ｂ，１Ｃ，１Ｄ，１Ｅ，１Ｆ  棺桶
２，２Ｂ，２Ｄ，２Ｅ，２Ｆ  箱体
３，３Ａ，３Ｂ，３Ｄ，３Ｅ，３Ｆ  蓋体
４  小窓
５，６  造作物
７  丸形小窓
８  周囲造作物
９，１０  カラー画像
１１  穴
１２  装飾物
１３  写真画像
１４  装飾物
【図１】
0003178946.tif 000003
【図２】
0003178946.tif 000004
【図３】
0003178946.tif 000005
【図４】
0003178946.tif 000006
【図５】
0003178946.tif 000007
【図６】
0003178946.tif 000008
【図７】
0003178946.tif 000009
【図８】
0003178946.tif 000010